(57)【要約】【課題】      本発明は、一葉の剥離シートに複数枚のラベルが仮着された粘着ラベルを商品に貼着する場合に、ラベルの貼着作業を向上させた粘着ラベルを提供する。【解決手段】  剥離シート２と、この剥離シート２に小ラベル３、大ラベル４とが仮着された粘着ラベル１において、前記小ラベル３の内方の前記剥離シート２に形成したカット部８と、前記小ラベル３と前記大ラベル４との間に操作部５を備えたことを特徴とする。【選択図】    図１
2007114690.tif 000002
【特許請求の範囲】
【請求項１】
剥離シートと、この剥離シートに小ラベル、大ラベルとが仮着された粘着ラベルにおいて、
前記小ラベルの内方の前記剥離シートに形成したカット部と、前記小ラベルと前記大ラベルとの間に操作部を備えたことを特徴とする粘着ラベル。
【請求項２】
前記操作部は、前記大ラベルを前記剥離シートから捲る操作面である
ことを特徴とする請求項１記載の粘着ラベル。
【請求項３】
前記操作部が形成された前記小ラベルの対向側辺の近傍に前記カット部を形成し、前記カット部と前記小ラベルの対向側辺の間の前記小ラベルに延出部が形成されていることを特徴とする請求項１記載の粘着ラベル。                
【発明の詳細な説明】
【技術分野】
【０００１】
本発明は、剥離シートに複数のラベルが仮着された粘着ラベルに関し、特に効率よく被着体に貼付することができる粘着ラベルに関する。
【背景技術】
【０００２】
複数のパーツを組み立てながら商品を製造する組立てラインにおいては、組立てラインの製造途中あるいは完成後に、その商品の管理するための管理番号、バーコード、製造者、注意コメントなどを印字した粘着ラベルを貼り付けることが行われている。
【０００３】
図４は、従来の粘着ラベルの平面図であり、図５は、図４のＶ−Vに沿ってカットした拡大断面図である。
粘着ラベル１０は、シリコーンなどの剥離処理された剥離剤１１を有した剥離紙１２に、粘着剤１３を有したラベル１４が仮着されている。剥離紙１２の剥離剤１１が塗布された面に、ラベル１４の粘着剤１３が塗布された面と、が剥離可能に仮着されている。
また、ラベル１４が仮着された剥離紙１２の周縁には、ラベル１４が仮着されていない余白部としての周縁部１５が形成されている。
【０００４】
ラベル１４には、一条のミシン目部１６が形成され、このミシン目部１６を介してラベル１４がラベル１４ａとラベル１４ｂとに分離可能に形成されている。また、ラベル１４のミシン目部１６が形成された同じ位置の剥離紙１２にカット部１７が形成されている。
このような粘着ラベル１０を組立てラインで製造される商品に貼付する場合には、ミシン目部１６からラベル１４を分離して、ラベル１４ａの周縁部１５から剥離紙１２を捲ることによってラベル１４ａの粘着剤１３が露呈するのでラベル１４ａを商品に貼付することができる。
また、ラベル１４ｂも同様に周縁部１５から剥離紙１２を捲ることにより商品に貼付されることができる。
【０００５】
しかしながら、分離されるラベル１４ａとラベル１４ｂとのミシン目部１６は、分離されることにより、その側辺に凹凸状に形成されているので見栄えが悪いという問題がある。
また、商品に貼るラベル１４ａ、１４ｂは、剥離紙１２の周縁部１５から手操作で剥離紙１２を捲るので指先が粘着剤１３面からラベル１４ａ、１４ｂを支えることになり、その指先が粘着剤１３部分に当接した部分の粘着力が弱くなる問題がある。
また、剥離紙１２の周縁部１５は、数ミリしかないので剥離紙１２が捲りにくく、ひとつの商品に２種類のラベルを貼付する場合に、ラベルの貼着作業が低下する問題がある。
【特許文献１】特開２０００−３５３２２４号公報
【発明の開示】
【発明が解決しようとする課題】
【０００６】
本発明は、ラベルの側辺部に凹凸が形成されない粘着ラベルを提供することにある。
また、被着体に貼るラベルについて、指先が粘着剤面に当接することがないようにして、粘着力が弱くなることを防止する粘着ラベルを提供することにある。
さらにまた、ラベルの貼着作業を向上させる粘着ラベルを提供することにある。
【課題を解決するための手段】
【０００７】
本発明は、ラベルを所定間隔で仮着することに着目したので、請求項１記載の発明の要旨は、剥離シートと、この剥離シートに小ラベル、大ラベルとが仮着された粘着ラベルにおいて、前記小ラベルの内方の前記剥離シートに形成したカット部と、前記小ラベルと前記大ラベルとの間に操作部を備えたことを特徴とする粘着ラベルにある。
また請求項２記載の発明の要旨は、前記操作部は、前記大ラベルから前記剥離シートを
捲る操作面であることを特徴とする請求項１記載の粘着ラベルにある。      
また請求項３記載の発明の要旨は、前記操作部が形成された前記小ラベルの対向側辺の近傍に前記カット部を形成し、前記カット部と前記小ラベルの対向側辺の間の前記小ラベルに延出部が形成されていることを特徴とする請求項１記載の粘着ラベルにある。
【発明の効果】
【０００８】
本発明の粘着ラベルは、粘着力が弱くすることなく被着体に貼着することがきる。
また、複数枚のラベルが剥離シートに仮着されていても、剥離シートが捲りやすくなるのでラベルの貼着作業が向上する。
さらに、ラベルの側辺が凹凸状に形成されることがないので見栄えがよくなり、商品イメージが向上する。
【発明を実施するための最良の形態】
【０００９】
本発明の実施の形態を図１ないし図３に基づいて説明する。
図１は本発明の粘着ラベルの平面図であり、図２は、図１のＩＩ−ＩＩに沿ってカットした拡大断面図であり、図３は、粘着ラベルの小ラベルと大ラベルとを分離した状態の平面図である。
【００１０】
粘着ラベル１は、一葉の剥離シート２と、小ラベル３と、大ラベル４と、操作部５とが設けられている。
紙類からなる剥離シート２は、略長方形の形状を有し、何れかの一方面にシリコーンなど剥離剤６が塗布されている。小ラベル３は、一方の面に感圧性粘着剤７が塗布され、他方面は印字可能な面を有している。
小ラベル３の感圧性粘着剤７が塗布された面と、剥離シート２の剥離剤６が塗布された面とが貼り合わされて小ラベル３が剥離シート２に剥離可能に仮着されている。
大ラベル４は、小ラベル３と同様に、一方の面に感圧性粘着剤７が塗布され、他方面は印字可能な面を有し、大ラベル４の感圧性粘着剤７が塗布された面と、剥離シート２の剥離剤６が塗布された面とが貼り合わされて大ラベル４が剥離シート２に剥離可能に仮着されている。
【００１１】
剥離シート２に仮着された小ラベル３と大ラベル４は、所定の間隔で仮着されている。また、小ラベル３の対向側辺３ａと、大ラベル４の対向側辺４ａとが互いに向き合うように形成され、この小ラベル３の対向側辺３ａと大ラベル４の対向側辺４ａとの間に操作部５を形成してある。
大ラベル４は、略長方形の形状を有し、印字可能な面には文字やバーコードを印字することができる。
また、小ラベル３は、大ラベル４より小さい略正方形の形状を有し、一部きり欠いた切欠部３ｂを形成することができる。
【００１２】
小ラベル３が仮着された剥離シート２には、一条の直線状のカット部８が形成されている。一条のカット部８は、略長方形の剥離シート２の短辺に沿って形成されているとともに、このカット部８は、小ラベル３の対向側辺３ａよりやや内側の近傍に設けられている。
また、小ラベル３の対向側辺３ａと剥離シート２に設けたカット部８との間の小ラベル３の領域には、延出部９を形成することができる。
【００１３】
このように形成された粘着ラベル１を被着体などの商品（図示せず）に貼着する時には、剥離シート２に形成されたカット部８から剥離シート２を分離することができる。
剥離シート２を分離することにより、剥離シート２ａと剥離シーと２ｂとに分離され、剥離シート２ａには小ラベル３が仮着され、剥離シート２ｂには大ラベル４が仮着される。
剥離シート２ａに仮着された小ラベル３の延出部９の部分が剥離シート２から延出されるので、感圧性粘着剤７が露出することになる。
この状態で、小ラベル３の印字面と剥離シート２とを手操作で摘むことができ、延出部９の対向側辺３ａを被着体の貼着位置に合わせて位置決めすることができる。小ラベル３の対向側辺３ａを位置決めした後、剥離シート２ａを延出部９側から捲ることにより、指先が感圧性粘着剤７に当接することなく、所定の位置に確実に小ラベル３を貼着することができる。また指先が感圧性粘着剤７に当接することがないので、感圧性粘着剤７の粘着力が弱くなることがない。
【００１４】
次に、大ラベル４を商品（図示せず）に貼着する場合を説明する。
剥離シート２ｂには、大ラベル４が仮着されるとともに、操作部５が形成されている。
操作部５は、大ラベル４が仮着されている剥離シート２ｂの剥離剤６側に形成された操作面５ａであり、大ラベル４の対向側辺４ａ側に所定の領域を形成した部分である。
尚、所定の領域とは、指先で剥離シート２ｂが容易に捲れる程度の領域とすることができる。操作面５ａの長さＬは、大ラベル４の対向側辺４ａから３ｍｍ以上があればよいが、好ましくは、４ｍｍ以上８ｍｍ以下である。
大ラベル４を商品に貼着する場合には、操作面５ａから剥離シート２ｂを捲り、大ラベル４の対向側辺４ａを商品の貼着位置に合わせて位置決めすることができる。大ラベル４の対向側辺４ａを位置決めした後、さらに、剥離シート２ｂを大ラベル４から捲ることにより、指先が感圧性粘着剤７に当接することなく、商品の所定の位置に確実に大ラベル４を貼着することができる。また指先が感圧性粘着剤７に当接することがないので、感圧性粘着剤７の粘着力が弱くなることがない。
【００１５】
このように、小ラベル３、大ラベル４の２枚のラベルを商品の貼着位置に精度よく貼り付けすることができる。また、指先が感圧性粘着剤７に当接することがないので、長期にわたって小ラベル３および大ラベル４が剥がれることがない。
さらに、小ラベル３および大ラベル４の２枚のラベルを効率よく剥離紙２から剥離して、  手操作で貼付することができる。
【００１６】
尚、粘着ラベル１を一葉の剥離シート２に小ラベル３と大ラベル４とを設けた例で説明したが、一葉の剥離シート２を連続状に形成することができる。
連続状に形成した粘着ラベルは、プリンタにより小ラベル３および大ラベル４の印字面に連続状に印字することができるので印字作業が向上する。
【００１７】
この実施の形態では、カット部８を一条の直線状で形成して例で説明したが、曲線状で形成してもよく、小ラベル３の対向側辺３ａに沿って延出部が形成するようにすることができればよい。また、ラベルの形状は任意とすることができる。
【００１８】
この実施の形態では、各構成部材の数、位置、形状等は上記実施の形態に限定されず、本発明を実施するうえで好適な数、位置、形状等にすることができる。本発明が上記各実施の形態に限定されず、本発明の技術思想の範囲内において、実施の形態は適宜変更され得ることは明らかである。
【図面の簡単な説明】
【００１９】
【図１】本発明の粘着ラベルの一例を示した平面図である。
【図２】同上、図１のＩＩ−ＩＩに沿ってカットした拡大断面図である。
【図３】同上、粘着ラベルの小ラベルと大ラベルとを分離した状態の平面図である。
【図４】従来の粘着ラベルの平面図である。
【図５】図４のＶ−Vに沿ってカットした拡大断面図である。
【符号の説明】
【００２０】
１      粘着ラベル
２      剥離シート
３      小ラベル
３ａ    小ラベルの対向側辺
４      大ラベル
４ａ    大ラベルの対向側辺
５      操作部
５ａ    操作面
８      カット部
９      延出部
１０      粘着ラベル(従来)
Ｌ      操作面５ａの長さ
【図１】
2007114690.tif 000003
【図２】
2007114690.tif 000004
【図３】
2007114690.tif 000005
【図４】
2007114690.tif 000006
【図５】
2007114690.tif 000007